(57)【要約】      （修正有）【課題】高演色性のあるアレイ型発光装置を提供する。【解決手段】アレイ型発光装置は、基板１、該基板に電気的に接続されたアレイ型発光モジュール２、波長変換層セット３及び複数の透光層セット４０を含む。該アレイ型発光モジュールは、青色２０Ｂ、赤色２０Ｒ、緑色２０Ｇ、黄色２０Ｙ及び琥珀色発光チップセット２０Ａからなる。該波長変換層セットは前記青色発光チップセットに覆われる。これらの透光層セットは、それぞれ、赤色、緑色、黄色及び琥珀色発光チップセットに覆われる。よって、該青色発光チップセットが発する可視光の一部は、該波長変換層セットにより吸収されかつ他の発光ピーク波長範囲のある可視光に変換され、他の発光チップセットが発生する投射光源とそれぞれ光合成され、該アレイ型発光モジュールは、演色性が９０〜９６の間に介在する白色光源を合成できるようになる。【選択図】図１
2009060068.tif 000002
【特許請求の範囲】
【請求項１】
基板と、
前記基板に電気的に接続され、青色発光チップセット、赤色発光チップセット、緑色発光チップセット、黄色発光チップセット、及び琥珀色発光チップセットからなるアレイ型発光モジュールと、
前記青色発光チップセットに覆われる波長変換層セットと、
それぞれ、前記赤色発光チップセット、前記緑色発光チップセット、前記黄色発光チップセット、及び前記琥珀色発光チップセットに覆われる複数の透光層セットとを含み、
よって、前記青色発光チップセットが発する可視光の一部は、前記波長変換層セットにより吸収されかつ他の発光ピーク波長範囲のある可視光に変換され、前記他の発光ピーク波長範囲を有する可視光、前記赤色発光チップセットが発生する投射光源、前記緑色発光チップセットが発生する投射光源、前記黄色発光チップセットが発生する投射光源、及び前記琥珀色発光チップセットが発生する投射光源は、それぞれ光合成され、前記アレイ型発光モジュールは、演色性が９０〜９６の間に介在する白色光源を合成できるようになることを特徴とする高演色性のあるアレイ型発光装置。
【請求項２】
前記青色発光チップセットの発光波長範囲は、４５０〜４６０ｎｍの間に介在され、前記赤色発光チップセットの発光波長範囲は、６２０〜６３０ｎｍの間に介在され、前記緑色発光チップセットの発光波長範囲は、５２０〜５４０ｎｍの間に介在され、前記黄色発光チップセットの発光波長範囲は、５８５〜５９５ｎｍの間に介在され、及び該琥珀色発光チップセットの発光波長範囲は、６００〜６１０ｎｍの間に介在されることを特徴とする請求項１記載の高演色性のあるアレイ型発光装置。
【請求項３】
前記波長変換層セットは、黄色蛍光粉及びパッケージコロイドの混合であり、前記青色発光チップセットが投射した光源は、前記波長変換層セットの吸収によって色温範囲が２８００〜１００００Ｋの間に介在する投射光源に変換されるようになることを特徴とする請求項１記載の高演色性のあるアレイ型発光装置。
【請求項４】
前記波長変換層セットは、オレンジ色及び緑色で混合した蛍光粉とパッケージコロイドの混合であり、前記青色発光チップセットが投射した光源は、前記波長変換層セットの吸収によって色温範囲が２８００〜１００００Ｋの間に介在する投射光源に変換されるようになることを特徴とする請求項１記載の高演色性のあるアレイ型発光装置。
【請求項５】
前記波長変換層セットは、複数層の第１の波長変換層及び第２の波長変換層からなり、前記第１の波長変換層は、黄色蛍光粉及びパッケージコロイドの混合であり、前記青色発光チップセットが投射した光源は、前記第１の波長変換層の吸収によって色温範囲が２８００〜１００００Ｋの間に介在する投射光源に変換され、前記第２の波長変換層は、緑色蛍光粉及びパッケージコロイドの混合であり、前記青色発光チップセットが投射した光源は、前記第２の波長変換層の吸収によって波長範囲が４８０〜４９５ｎｍの間に介在する投射光源に変換されようになることを特徴とする請求項１記載の高演色性のあるアレイ型発光装置。
【請求項６】
前記波長変換層セットは、複数層の第１の波長変換層及び第２の波長変換層からなり、前記第１の波長変換層は、オレンジ色及び緑色で混合した蛍光粉とパッケージコロイドの混合であり、前記青色発光チップセットが投射した光源は、前記第１の波長変換層の吸収によって色温範囲が２８００〜１００００Ｋの間に介在する投射光源に変換され、前記第２の波長変換層は、緑色蛍光粉及びパッケージコロイドの混合であり、前記青色発光チップセットが投射した光源は、前記第２の波長変換層の吸収によって波長範囲が４８０〜４９５ｎｍの間に介在する投射光源に変換されようになることを特徴とする請求項１記載の高演色性のあるアレイ型発光装置。
【請求項７】
前記青色発光チップセットは、８つの青色の発光ダイオードチップからなり、前記赤色発光チップセットは、１つの赤色の発光ダイオードチップ、前記緑色発光チップセットは、４つの緑色の発光ダイオードチップからなり、前記黄色発光チップセットは、１つの黄色の発光ダイオードチップ、及び前記琥珀色発光チップセットは、２つの琥珀色の発光ダイオードチップからなり、
前記アレイ型発光モジュールは、一行目の発光チップ列、二行目の発光チップ列、三行目の発光チップ列、及び四行目の発光チップ列からなり、
前記一行目の発光チップ列は、２つの青色の発光ダイオードチップ、１つの緑色の発光ダイオードチップ、及び１つの琥珀色発光ダイオードチップからなり、前記二行目の発光チップ列は、２つの青色の発光ダイオードチップ、１つの緑色の発光ダイオードチップ、及び１つの赤色発光ダイオードチップからなり、前記三行目の発光チップ列は、２つの青色の発光ダイオードチップ、１つの緑色の発光ダイオードチップ、及び１つの黄色発光ダイオードチップからなり、該四行目の発光チップ列は、２つの青色の発光ダイオードチップ、１つの緑色の発光ダイオードチップ、及び１つの赤色発光ダイオードチップからなり、
前記青色の発光ダイオードチップ毎及び緑色の発光ダイオードチップ毎の電圧値範囲は、２．９〜４．０（Ｖ）の間に介在し、かつ、前記赤色の発光ダイオードチップ、前記黄色の発光ダイオードチップ及び前記琥珀色の発光ダイオードチップ毎の電圧値範囲は、１．８〜２．８（Ｖ）の間に介在することを特徴とする請求項１記載の高演色性のあるアレイ型発光装置。
【請求項８】
前記アレイ型発光モジュールは、複数行の発光チップ列からなり、各行毎の発光チップ列は、複数の発光ダイオードチップを有し、
各行毎の発光チップ列は、それぞれ、該基板１に並列または直列して電気的に接続され、
前記アレイ型発光モジュールは、４行の発光チップ列からなり、各行毎の発光チップ列は、少なくとも２つの青色発光ダイオードチップと、前記赤色発光チップセット、該緑色発光チップセット２Ｇ、該黄色発光チップセット、及び該琥珀色発光チップセットから選出された少なくとも２つの発光ダイオードチップとを有し、４×４のアレイ型発光モジュールを組み合わせ、各行毎の発光チップ列の総電圧値が１２Ｖであることを特徴とする請求項１記載の高演色性のあるアレイ型発光装置。
【請求項９】
これらの発光ダイオードチップは、それぞれ、予定距離を隔てていることを特徴とする請求項８記載の高演色性のあるアレイ型発光装置。
【請求項１０】
前記基板は、それぞれ近接して配列される複数の収納溝を有し、かつ、前記発光ダイオードチップが、それぞれ、これらの対応の収納溝内に収納されることを特徴とする請求項８記載の高演色性のあるアレイ型発光装置。
【請求項１１】
基板と、
前記基板に電気的に接続され、８つの青色の発光ダイオードチップを有する青色発光チップセット、２つの赤色の発光ダイオードチップを有する赤色発光チップセット、４つの緑色の発光ダイオードチップを有する緑色発光チップセット、１つの黄色の発光ダイオードチップを有する黄色発光チップセット、及び１つの琥珀色の発光ダイオードチップを有する琥珀色発光チップセットからなるアレイ型発光モジュールと、
前記青色発光チップセットに覆われ、複数層の第１の波長変換層及び第２の波長変換層からなり、これらの第１の波長変換層は、オレンジ色及び緑色で混合した蛍光粉とパッケージコロイドの混合であり、前記第２の波長変換層は、緑色蛍光粉及びパッケージコロイドの混合である波長変換層セットと、
それぞれ、前記赤色発光チップセット、前記緑色発光チップセット、前記黄色発光チップセット、及び前記琥珀色発光チップセットに覆われる複数の透光層セットとを含み、
よって、前記青色発光チップセットが投射した光源は、これらの第１の波長変換層の吸収によって色温範囲が２８００〜１００００Ｋの間に介在する投射光源に変換され、前記青色発光ダイオードチップが投射した光源は、前記第２の波長変換層の吸収によって発光ピーク波長範囲が４８０〜４９５ｎｍの間に介在する投射光源に変換され、かつ、
前記波長変換層セットを介して発生した投射光源、前記赤色発光ダイオードチップが発生する投射光源、前記緑色発光ダイオードチップが発生する投射光源、前記黄色発光ダイオードチップが発生する投射光源、及び前記琥珀色発光ダイオードチップが発生する投射光源は、それぞれ光合成され、前記アレイ型発光モジュールは、演色性が９０〜９６の間に介在する白色光源を合成できるようになることを特徴とする高演色性のあるアレイ型発光装置。
【請求項１２】
前記青色発光チップセットの発光波長範囲は、４５０〜４６０ｎｍの間に介在され、前記赤色発光チップセットの発光波長範囲は、６２０〜６３０ｎｍの間に介在され、前記緑色発光チップセットの発光波長範囲は、５２０〜５４０ｎｍの間に介在され、前記黄色発光チップセットの発光波長範囲は、５８５〜５９５ｎｍの間に介在され、及び該琥珀色発光チップセットの発光波長範囲は、６００〜６１０ｎｍの間に介在されることを特徴とする請求項１１記載の高演色性のあるアレイ型発光装置。
【請求項１３】
前記アレイ型発光モジュールは、一行目の発光チップ列、二行目の発光チップ列、三行目の発光チップ列、及び四行目の発光チップ列からなり、
前記一行目の発光チップ列は、２つの青色の発光ダイオードチップ、１つの緑色の発光ダイオードチップ、及び１つの琥珀色発光ダイオードチップからなり、前記二行目の発光チップ列は、２つの青色の発光ダイオードチップ、１つの緑色の発光ダイオードチップ、及び１つの赤色発光ダイオードチップからなり、前記三行目の発光チップ列は、２つの青色の発光ダイオードチップ、１つの緑色の発光ダイオードチップ、及び１つの黄色発光ダイオードチップからなり、該四行目の発光チップ列は、２つの青色の発光ダイオードチップ、１つの緑色の発光ダイオードチップ、及び１つの赤色発光ダイオードチップからなり、
前記青色の発光ダイオードチップ毎及び緑色の発光ダイオードチップ毎の電圧値範囲は、２．９〜４．０（Ｖ）の間に介在し、かつ、前記赤色の発光ダイオードチップ、前記黄色の発光ダイオードチップ及び前記琥珀色の発光ダイオードチップ毎の電圧値範囲は、１．８〜２．８（Ｖ）の間に介在し、
各行毎の発光チップ列の総電圧値が１２Ｖであり、
各行毎の発光チップ列が前記基板にそれぞれ並列または直列して電気的に接続されることを特徴とする請求項１１記載の高演色性のあるアレイ型発光装置。
【請求項１４】
これらの発光ダイオードチップは、それぞれ、予定距離を隔てていることを特徴とする請求項１３記載の高演色性のあるアレイ型発光装置。
【請求項１５】
前記基板は、それぞれ近接して配列される複数の収納溝を有し、かつ、前記発光ダイオードチップが、それぞれ、これらの対応の収納溝内に収納されることを特徴とする請求項１３記載の高演色性のあるアレイ型発光装置。
【請求項１６】
基板と、
前記基板に電気的に接続され、８つの青色の発光ダイオードチップを有する青色発光チップセット、２つの赤色の発光ダイオードチップを有する赤色発光チップセット、４つの緑色の発光ダイオードチップを有する緑色発光チップセット、１つの黄色の発光ダイオードチップを有する黄色発光チップセット、及び１つの琥珀色の発光ダイオードチップを有する琥珀色発光チップセットからなるアレイ型発光モジュールと、
前記青色発光チップセットに覆われ、オレンジ色及び緑色で混合した蛍光粉とパッケージコロイドの混合である波長変換層セットと、
それぞれ、前記赤色発光チップセット、前記緑色発光チップセット、前記黄色発光チップセット、及び前記琥珀色発光チップセットに覆われる複数の透光層セットとを含み、
よって、前記青色発光チップセットが投射した光源は、前記波長変換層の吸収によって色温範囲が２８００〜１００００Ｋの間に介在する投射光源に変換され、かつ、
前記波長変換層セットを介して発生した投射光源、前記赤色発光ダイオードチップが発生する投射光源、前記緑色発光ダイオードチップが発生する投射光源、前記黄色発光ダイオードチップが発生する投射光源、及び前記琥珀色発光ダイオードチップが発生する投射光源は、それぞれ光合成され、前記アレイ型発光モジュールは、演色性が９０〜９６の間に介在する白色光源を合成できるようになることを特徴とする高演色性のあるアレイ型発光装置。
【請求項１７】
前記青色発光チップセットの発光波長範囲は、４５０〜４６０ｎｍの間に介在され、前記赤色発光チップセットの発光波長範囲は、６２０〜６３０ｎｍの間に介在され、前記緑色発光チップセットの発光波長範囲は、５２０〜５４０ｎｍの間に介在され、前記黄色発光チップセットの発光波長範囲は、５８５〜５９５ｎｍの間に介在され、及び該琥珀色発光チップセットの発光波長範囲は、６００〜６１０ｎｍの間に介在されることを特徴とする請求項１６記載の高演色性のあるアレイ型発光装置。
【請求項１８】
前記アレイ型発光モジュールは、一行目の発光チップ列、二行目の発光チップ列、三行目の発光チップ列、及び四行目の発光チップ列からなり、
前記一行目の発光チップ列は、２つの青色の発光ダイオードチップ、１つの緑色の発光ダイオードチップ、及び１つの琥珀色発光ダイオードチップからなり、前記二行目の発光チップ列は、２つの青色の発光ダイオードチップ、１つの緑色の発光ダイオードチップ、及び１つの赤色発光ダイオードチップからなり、前記三行目の発光チップ列は、２つの青色の発光ダイオードチップ、１つの緑色の発光ダイオードチップ、及び１つの黄色発光ダイオードチップからなり、該四行目の発光チップ列は、２つの青色の発光ダイオードチップ、１つの緑色の発光ダイオードチップ、及び１つの赤色発光ダイオードチップからなり、
前記青色の発光ダイオードチップ毎及び緑色の発光ダイオードチップ毎の電圧値範囲は、２．９〜４．０（Ｖ）の間に介在し、かつ、前記赤色の発光ダイオードチップ、前記黄色の発光ダイオードチップ及び前記琥珀色の発光ダイオードチップ毎の電圧値範囲は、１．８〜２．８（Ｖ）の間に介在し、
各行毎の発光チップ列の総電圧値が１２Ｖであり、
各行毎の発光チップ列が前記基板にそれぞれ並列または直列して電気的に接続されることを特徴とする請求項１６記載の高演色性のあるアレイ型発光装置。
【請求項１９】
これらの発光ダイオードチップは、それぞれ、予定距離を隔てていることを特徴とする請求項１８記載の高演色性のあるアレイ型発光装置。
【請求項２０】
前記基板は、それぞれ近接して配列される複数の収納溝を有し、かつ、前記発光ダイオードチップが、それぞれ、これらの対応の収納溝内に収納されることを特徴とする請求項１８記載の高演色性のあるアレイ型発光装置。
【発明の詳細な説明】
【技術分野】
【０００１】
本発明は、発光装置に係り、特に、高演色性のあるアレイ型発光装置を指すものである。
【背景技術】
【０００２】
発光ダイオード（Ｌｉｇｈｔ−Ｅｍｉｔｔｉｎｇ  Ｄｉｏｄｅ；ＬＥＤ）は半導体装置で、そのサイズがいずれも小さいが、その利点は明るいカラー発射源を高い効率で発生でき、かつ、発光ダイオードが発する発射光源は最適な単色ピークを有することにある。複数の発光ダイオードの発射を拡散及び合成することによって白光を発生するとすれば、カラー合成の方法が必要である（特許文献１参照）。
【０００３】
例えば、それぞれが発射光源を発生し、その波長が赤、緑、または青の可視光範囲内に（それぞれが赤色発光ダイオード、緑色発光ダイオード及び青色発光ダイオードで）それぞれ介在する三つの発光ダイオード同士は、互いに近く設置しなければならない。しかしながら、発光ダイオードごとはいずれも最適な単色ピークを有するため、これらのカラー色で合成して発生した白光が不均一になることもしばしばある。すなわち、三原色の発射光源で合成してから発生した白光は、不均一になる可能性があるため、三原色の発射光源は、あらゆる方式で合成することができない。
【０００４】
言い換えれば、高演色性（ｃｏｌｏｒ  ｒｅｎｄｅｒｉｎｇ  ｉｎｄｅｘ；ＣＲＩ）の白光は、常に、半導体発光源が追求する目標である。上記のように、従来では様々な波長の発光ダイオードチップ、例えば、赤、緑、青の三色チップで配置してなる発光源を使用することがあるが、このような発光源は、演色性の８０％程度しか達成できず、かつ、従来は光合成が不均一の問題がある。
【特許文献１】特開２０００−５６４１０号公報
【発明の開示】
【発明が解決しようとする課題】
【０００５】
以上に分かるように、前記従来の白光発光装置は、実際の使用では、不便や欠点が明らかに存在している。
【０００６】
そのため、本発明者は、前記欠点が改良できるのを感心して、長年以来この領域で積み立てた経験により、専念な観察かつ研究をし、さらに学術理論の運用に合せ、やっと合理な設計且つ前記の欠点を有効に改良できた本発明を提案した。
【課題を解決するための手段】
【０００７】
本発明による問題を解決する技術手段は、高演色性（ｃｏｌｏｒ  ｒｅｎｄｅｒｉｎｇ  ｉｎｄｅｘ）のあるアレイ型発光装置（ａｒｒａｙ  ｔｙｐｅ  ｌｉｇｈｔ−ｅｍｉｔｔｉｎｇ  ｄｅｖｉｃｅ）を提供することにある。本発明に係るアレイ型発光装置は、波長変換層セットに覆われる青色発光チップセット、透光層セットに覆われる赤色発光チップセット、透光層に覆われる緑色発光チップセット、透光層セットに覆われる黄色発光チップセット、及び透光層セットに覆われる琥珀色発光チップセットからなる。これらの発光チップセットから発する光源のそれぞれの光の合成により、本発明に係るアレイ型発光モジュールは、高演色性（ｃｏｌｏｒ  ｒｅｎｄｅｒｉｎｇ  ｉｎｄｅｘ）の白色光源を合成できるようになる。
【０００８】
前記によると、本発明のうち一つの提案は、基板、アレイ型発光モジュール、波長変換層セット（ｗａｖｅｌｅｎｇｔｈ−ｃｏｎｖｅｒｔｉｎｇ  ｌａｙｅｒ  ｓｅｔ）及び複数の透光層セット（ｔｒａｎｓｐａｒｅｎｔ  ｌａｙｅｒ  ｓｅｔ）を含む高演色性（ｃｏｌｏｒ  ｒｅｎｄｅｒｉｎｇ  ｉｎｄｅｘ）のあるアレイ型発光装置（ａｒｒａｙ  ｔｙｐｅ  ｌｉｇｈｔ−ｅｍｉｔｔｉｎｇ  ｄｅｖｉｃｅ）を提供する。
【０００９】
そのうちでは、前記アレイ型発光モジュールは前記基板に電気的に接続され、前記アレイ型発光モジュールは、青色発光チップセット、赤色発光チップセット、緑色発光チップセット、黄色発光チップセット、及び琥珀色発光チップセットからなる。前記波長変換層セットは前記青色発光チップセットに覆われる。これらの透光層セットは、それぞれ、前記赤色発光チップセット、前記緑色発光チップセット、前記黄色発光チップセット、及び前記琥珀色発光チップセットに覆われる。
【００１０】
よって、前記青色発光チップセットが発する可視光の一部は、前記波長変換層セットにより吸収されかつ他の発光ピーク波長範囲のある可視光に変換され、前記他の発光ピーク波長範囲を有する可視光、前記赤色発光チップセットが発生する投射光源、前記緑色発光チップセットが発生する投射光源、前記黄色発光チップセットが発生する投射光源、及び前記琥珀色発光チップセットが発生する投射光源は、それぞれ光合成され、前記アレイ型発光モジュールは、演色性が９０〜９６の間に介在する白色光源を合成できるようになる。
【００１１】
また、本発明に係るアレイ型発光モジュールの発光ダイオードチップの構成は、少なくとも、以下の２種類方式を含む。
１、前記青色発光チップセットは、８つの青色の発光ダイオードチップからなり、前記赤色発光チップセットは、１つの赤色の発光ダイオードチップ、前記緑色発光チップセットは、４つの緑色の発光ダイオードチップからなり、前記黄色発光チップセットは、１つの黄色の発光ダイオードチップ、及び前記琥珀色発光チップセットは、２つの琥珀色の発光ダイオードチップからなる。
２、前記青色発光チップセットは、８つの青色の発光ダイオードチップからなり、前記赤色発光チップセットは、２つの赤色の発光ダイオードチップ、前記緑色発光チップセットは、４つの緑色の発光ダイオードチップからなり、前記黄色発光チップセットは、１つの黄色の発光ダイオードチップ、及び前記琥珀色発光チップセットは、１つの琥珀色の発光ダイオードチップからなる。
【００１２】
また、本発明に係る波長変換層セットは、少なくとも、以下の２種類混合方式を含む。
１、前記波長変換層セットは、黄色蛍光粉及びパッケージコロイドの混合であり、前記青色発光チップセットが投射した光源は、前記波長変換層セットの吸収によって色温範囲（ｃｏｌｏｒ  ｔｅｍｐｅｒａｔｕｒｅ）が２８００〜１００００Ｋの間に介在する投射光源に変換されるようになる。
２、前記波長変換層セットは、オレンジ色及び緑色で混合した蛍光粉とパッケージコロイドの混合であり、前記青色発光チップセットが投射した光源は、前記波長変換層セットの吸収によって色温範囲（ｃｏｌｏｒ  ｔｅｍｐｅｒａｔｕｒｅ）が２８００〜１００００Ｋの間に介在する投射光源に変換されるようになる。
３、前記波長変換層セットは、複数層の第１の波長変換層及び第２の波長変換層からなり、前記第１の波長変換層は、黄色蛍光粉及びパッケージコロイドの混合であり、前記青色発光チップセットが投射した光源は、前記第１の波長変換層の吸収によって色温範囲（ｃｏｌｏｒ  ｔｅｍｐｅｒａｔｕｒｅ）が２８００〜１００００Ｋの間に介在する投射光源に変換され、前記第２の波長変換層は、緑色蛍光粉及びパッケージコロイドの混合であり、前記青色発光チップセットが投射した光源は、前記第２の波長変換層の吸収によって波長範囲が４８０〜４９５ｎｍの間に介在する投射光源に変換されようになる。
４、前記波長変換層セットは、複数層の第１の波長変換層及び第２の波長変換層からなり、前記第１の波長変換層は、オレンジ色及び緑色で混合した蛍光粉とパッケージコロイドの混合であり、前記青色発光チップセットが投射した光源は、前記第１の波長変換層の吸収によって色温範囲（ｃｏｌｏｒ  ｔｅｍｐｅｒａｔｕｒｅ）が２８００〜１００００Ｋの間に介在する投射光源に変換され、前記第２の波長変換層は、緑色蛍光粉及びパッケージコロイドの混合であり、前記青色発光チップセットが投射した光源は、前記第２の波長変換層の吸収によって波長範囲が４８０〜４９５ｎｍの間に介在する投射光源に変換されようになる。
【００１３】
そのため、本発明の特徴は、前記アレイ型発光モジュールが、前記青色発光チップセット、前記赤色発光チップセット、前記緑色発光チップセット、前記黄色発光チップセット、及び前記琥珀色発光チップセットからなることにある。さらに、前記波長変換層セットは前記青色発光チップセットに覆われる。これらの透光層セットは、それぞれ、前記赤色発光チップセット、前記緑色発光チップセット、前記黄色発光チップセット、及び前記琥珀色発光チップセットに覆われる。よって、前記アレイ型発光モジュールは、演色性が９０〜９６の間に介在する白色光源を合成できるようになる。
【００１４】
本発明が予定の目的を達成するために採用した技術、手段及び効果をより詳しく了解するために、以下に本発明に関わる詳細な説明及び添付図面を参照すれば、本発明の目的、特徴および特長が、これらによって深くかつ具体的に理解できると確信しているが、それらの添付図面が参考及び説明のみに使われ、本発明の主張範囲を狭義的に局限するものではないことは言うまでもないことである。
【発明を実施するための最良の形態】
【００１５】
図１及び図２は、それぞれ、本発明に係る高演色性（ｃｏｌｏｒ  ｒｅｎｄｅｒｉｎｇ  ｉｎｄｅｘ）のあるアレイ型発光装置（ａｒｒａｙ  ｔｙｐｅ  ｌｉｇｈｔ−ｅｍｉｔｔｉｎｇ  ｄｅｖｉｃｅ）が一種の波長変換層を使用する平面図、及び本発明の図１の２−２線の断面図である。図から分かるように、本発明は、基板１、アレイ型発光モジュール２、波長変換層セット（ｗａｖｅｌｅｎｇｔｈ−ｃｏｎｖｅｒｔｉｎｇ  ｌａｙｅｒ  ｓｅｔ）３及び複数の透光層セット（ｔｒａｎｓｐａｒｅｎｔ  ｌａｙｅｒ  ｓｅｔ）４を含む高演色性（ｃｏｌｏｒ  ｒｅｎｄｅｒｉｎｇ  ｉｎｄｅｘ）のあるアレイ型発光装置（ａｒｒａｙ  ｔｙｐｅ  ｌｉｇｈｔ−ｅｍｉｔｔｉｎｇ  ｄｅｖｉｃｅ）を提供する。
【００１６】
そのうちでは、該アレイ型発光モジュール２は該基板１に電気的に接続され、かつ、該アレイ型発光モジュール２は、青色発光チップセット２Ｂ、赤色発光チップセット２Ｒ、緑色発光チップセット２Ｇ、黄色発光チップセット２Ｙ、及び琥珀色発光チップセット２Ａからなる。
【００１７】
また、該青色発光チップセット２Ｂの発光ピーク波長（ｅｍｉｓｓｉｏｎ  ｐｅａｋ  ｗａｖｅｌｅｎｇｔｈ）範囲は、４５０〜４６０ｎｍの間に介在され、該赤色発光チップセット２Ｒの発光ピーク波長範囲は、６２０〜６３０ｎｍの間に介在され、該緑色発光チップセット２Ｇの発光ピーク波長範囲は、５２０〜５４０ｎｍの間に介在され、該黄色発光チップセット２Ｙの発光ピーク波長範囲は、５８５〜５９５ｎｍの間に介在され、及び該琥珀色発光チップセット２Ａの発光ピーク波長範囲は、６００〜６１０ｎｍの間に介在され。
【００１８】
また、該青色発光チップセット２Ｂは、１つまたは複数の青色の発光ダイオードチップ２０Ｂで、該赤色発光チップセット２Ｒは、１つまたは複数の赤色の発光ダイオードチップ２０Ｒで、該緑色発光チップセット２Ｇは、１つまたは複数の緑色の発光ダイオードチップ２０Ｇで、該黄色発光チップセット２Ｙは、１つまたは複数の黄色の発光ダイオードチップ２０Ｙで、及び該琥珀色発光チップセット２Ａは、１つまたは複数の琥珀色の発光ダイオードチップ２０Ａである。
【００１９】
図１を例として説明すれば、該アレイ型発光モジュール２は、一行目の発光チップ列２１、二行目の発光チップ列２２、三行目の発光チップ列２３、及び四行目の発光チップ列２４からなり、各行毎の発光チップ列は、４つの発光ダイオードチップを有する。そのうち、４つの青色の発光ダイオードチップ２０Ｂは、それぞれ、各行毎の発光チップ列（２１、２２、２３、２４）の第１の位置に設けられ、２つの赤色の発光ダイオードチップ２０Ｒは、それぞれ、該二行目の発光チップ列２２の第３の位置及び該四行目の発光チップ列２４の第３の位置に設けられ、２つの緑色の発光ダイオードチップ２０Ｇは、それぞれ、該一行目の発光チップ列２１の第３の位置及び該二行目の発光チップ列２２の第２の位置に設けられ、１つの黄色の発光ダイオードチップ２０Ｙは、該三行目の発光チップ列２３の第２の位置に設けられ、１つの琥珀色の発光ダイオードチップ２０Ａは、該一行目の発光チップ列２１の第２の位置に設けられる。また、これらの発光ダイオードチップ（２０Ｒ、２０Ｇ、２０Ｙ、２０Ａ）は、それぞれ、予定距離を隔てている。
【００２０】
また、該波長変換層セット３は、該青色発光チップセット２Ｂに覆われる。異なる設計要求に従い、該波長変換層セット３は、以下の２種類の選択がある。
（１）、該波長変換層セット３は、黄色蛍光粉及びパッケージコロイドの混合であり、該青色発光チップセット２Ｂが投射した光源は、該波長変換層セット３の吸収によって色温範囲（ｃｏｌｏｒ  ｔｅｍｐｅｒａｔｕｒｅ）が２８００〜１００００Ｋの間に介在する投射光源に変換されるようになる。さらに、図１を再び参照すると、該波長変換層セット３は、複数の波長変換層３０からなり、かつ、これらの波長変換層３０は、これらの青色発光ダイオードチップ２０Ｂに覆われる。また、前記黄色蛍光粉は、「オレンジ色及び緑色で混色した蛍光粉」に切り替えても良い。
（２）、図３に示すように、該波長変換層セット３'は、複数層の第１の波長変換層３１'及び第２の波長変換層３２'からなり、これらの第１の波長変換層３１'は、黄色蛍光粉及びパッケージコロイドの混合であり、該青色発光チップセット２Ｂが投射した光源は、これらの第１の波長変換層３１'の吸収によって色温範囲（ｃｏｌｏｒ  ｔｅｍｐｅｒａｔｕｒｅ）が２８００〜１００００Ｋの間に介在する投射光源に変換され、これらの第２の波長変換層３２'は、緑色蛍光粉及びパッケージコロイドの混合であり、該青色発光チップセット２Ｂが投射した光源は、該第２の波長変換層３２'の吸収によって波長範囲が４８０〜４９５ｎｍの間に介在する投射光源に変換されようになる。また、前記黄色蛍光粉は、「オレンジ色及び緑色で混色した蛍光粉」に切り替えても良い。
【００２１】
また、該透光層セット４ごとは、発光チップセット毎（２Ｒ、２Ｇ、２Ｙまたは２Ａ）に対応して、かつ、これらの透光層セット４は、それぞれ、該赤色発光チップセット２Ｒ、該緑色発光チップセット２Ｇ、該黄色発光チップセット２Ｙ、及び該琥珀色発光チップセット２Ａに覆われる。また、該透光層セット４ごとは、複数層の透光層４０を有し、かつ、該透光層セット４ごとのこれらの透光層４０は、それぞれ、発光チップセット毎（２Ｒ、２Ｇ、２Ｙまたは２Ａ）のこれらの発光ダイオードチップ（２０Ｒ、２０Ｇ、２０Ｙまたは２０Ａ）に覆われる。
【００２２】
よって、該青色発光チップセット２Ｂが発する可視光の一部は、該波長変換層セット３を介して吸収されかつ他の発光ピーク波長範囲のある可視光に変換され、該他の発光ピーク波長範囲を有する可視光、該赤色発光チップセット２Ｒが発生する投射光源、該緑色発光チップセット２Ｇが発生する投射光源、該黄色発光チップセット２Ｙが発生する投射光源、及び該琥珀色発光チップセット２Ａが発生する投射光源は、それぞれ光合成され、該アレイ型発光モジュール２は、演色性が９０〜９６の間に介在する白色光源を合成できるようになる。
【００２３】
図４は、本発明に係る高演色性（ｃｏｌｏｒ  ｒｅｎｄｅｒｉｎｇ  ｉｎｄｅｘ）のあるアレイ型発光装置（ａｒｒａｙ  ｔｙｐｅ  ｌｉｇｈｔ−ｅｍｉｔｔｉｎｇ  ｄｅｖｉｃｅ）の回路図である。図１及び図４に合せて示すように、該アレイ型発光モジュール２は、４行の発光チップ列（２１、２２、２３、２４）からなり、各行毎の発光チップ列は、少なくとも２つの青色発光ダイオードチップ２０Ｂと、該赤色発光チップセット２Ｒ、該緑色発光チップセット２Ｇ、該黄色発光チップセット２Ｙ、及び該琥珀色発光チップセット２Ａから選出された少なくとも２つの発光ダイオードチップ（２０Ｒ、２０Ｇ、２０Ｙまたは２０Ａ）とを有し、４×４のアレイ型発光モジュールを組み合わせる。
【００２４】
さらに、各行毎の発光チップ列（２１、２２、２３、２４）は、それぞれ、該基板１に並列して電気的に接続され、かつ、各行毎の発光チップ列（２１、２２、２３、２４）のこれらの発光ダイオードチップ（２０Ｂ、２０Ｒ、２０Ｇ、２０Ｙまたは２０Ａ）は、それぞれ、該基板１に直列して電気的に接続される。
【００２５】
そのうち、該青色の発光ダイオードチップ２０Ｂ毎及び緑色の発光ダイオードチップ２０Ｇ毎の電圧値範囲は、２．９〜４．０（Ｖ）の間に介在し、かつ、該赤色の発光ダイオードチップ２０Ｒ、該黄色の発光ダイオードチップ２０Ｙ及び該琥珀色の発光ダイオードチップ２０Ａ毎の電圧値範囲は、１．８〜２．８（Ｖ）の間に介在する。そのため、電気回路設計者は、異なる電圧値のこれらの発光ダイオードチップ（２０Ｂ、２０Ｒ、２０Ｇ、２０Ｙまたは２０Ａ）をあらゆる方式で組み合わせることができ、各行毎の発光チップ列（２１、２２、２３、２４）のこれらの発光ダイオードチップ（２０Ｂ、２０Ｒ、２０Ｇ、２０Ｙまたは２０Ａ）は、それぞれ直列してなる総電圧値が約１２Ｖであるようになる。しかしながら、最適な場合に、各行毎の発光チップ列の総電圧値が１２Ｖである。
【００２６】
図５Ａ及び図５Ｂは、それぞれ、本発明に係る高演色性（ｃｏｌｏｒ  ｒｅｎｄｅｒｉｎｇ  ｉｎｄｅｘ）のあるアレイ型発光装置（ａｒｒａｙ  ｔｙｐｅ  ｌｉｇｈｔ−ｅｍｉｔｔｉｎｇ  ｄｅｖｉｃｅ）の第１実施例の発光チップのレイアウトを示す図及びスペクトル図である。図５Ａの第１実施例についての説明は以下である。
【００２７】
Ｂ＋Ｐ（ＯＧ）領域は、「青色発光ダイオードチップＢ毎が、オレンジ色及び緑色で混合した蛍光粉とパッケージコロイドとの混合Ｐ（ＯＧ）に組み合わせて、該青色発光ダイオードチップＢ毎が発する可視光の一部は、色温範囲（ｃｏｌｏｒ  ｔｅｍｐｅｒａｔｕｒｅ）が２８００〜１００００Ｋの間に介在する白色投射光源に変換されるようになる」。
【００２８】
Ｒ領域は、「赤色発光ダイオードチップＲが、透光層を直接的に透過し、発光波長範囲が６２０〜６３０ｎｍの間に介在する赤色投射光源を発生させる」。
【００２９】
Ｇ領域は、「緑色発光ダイオードチップＧが、透光層を直接的に透過し、発光波長範囲が５２０〜５４０ｎｍの間に介在する緑色投射光源を発生させる」。
【００３０】
Ｙ領域は、「黄色発光ダイオードチップＹが、透光層を直接的に透過し、発光波長範囲が５８５〜５９５ｎｍの間に介在する黄色投射光源を発生させる」。
【００３１】
Ａ領域は、「琥珀色発光ダイオードチップＡが、透光層を直接的に透過し、発光波長範囲が６００〜６１０ｎｍの間に介在する琥珀色投射光源を発生させる」。
【００３２】
また、第１実施例の発光ダイオードチップの構成及び配列方式は、第２実施例と同じである。
【００３３】
そのため、該青色発光ダイオードチップＢが発する可視光の一部は、それぞれ、これらの波長変換層（オレンジ色及び緑色で混合した蛍光粉とパッケージコロイドとの混合Ｐ（ＯＧ））の吸収によって色温範囲（ｃｏｌｏｒ  ｔｅｍｐｅｒａｔｕｒｅ）が２８００〜１００００Ｋの間に介在する白色投射光源に変換される。
【００３４】
かつ、該色温範囲が２８００〜１００００Ｋの間に介在する白色投射光源、該赤色発光ダイオードチップＲが発生する赤色投射光源、該緑色発光ダイオードチップＧが発生する緑色投射光源、該黄色発光ダイオードチップＹが発生する黄色投射光源、及び該琥珀色発光ダイオードチップＡが発生する琥珀色投射光源は、それぞれ光合成され、本発明の第１実施例に係るアレイ型発光モジュールは、演色性（ＣＲＩ）が９２で、色温が２５００〜４０００Ｋの高演色性の白色光源を合成できるようになる（図５Ｂに示すように）。
【００３５】
図６Ａ及び図６Ｂは、それぞれ、本発明に係る高演色性（ｃｏｌｏｒ  ｒｅｎｄｅｒｉｎｇ  ｉｎｄｅｘ）のあるアレイ型発光装置（ａｒｒａｙ  ｔｙｐｅ  ｌｉｇｈｔ−ｅｍｉｔｔｉｎｇ  ｄｅｖｉｃｅ）の第２実施例の発光チップのレイアウトを示す図及びスペクトル図である。図６Ａの第２実施例についての説明は以下である。
【００３６】
Ｂ＋Ｐ（ＯＧ）領域は、「青色発光ダイオードチップＢ毎が、オレンジ色及び緑色で混合した蛍光粉とパッケージコロイドとの混合Ｐ（ＯＧ）に組み合わせて、該青色発光ダイオードチップＢ毎が発する可視光の一部は、色温範囲（ｃｏｌｏｒ  ｔｅｍｐｅｒａｔｕｒｅ）が２８００〜１００００Ｋの間に介在する白色投射光源に変換されるようになる」。
【００３７】
Ｂ＋Ｐ（Ｇ）領域は、「青色発光ダイオードチップＢ毎が、緑色蛍光粉とパッケージコロイドとの混合Ｐ（Ｇ）に組み合わせて、該青色発光ダイオードチップＢ毎が発する可視光の一部は、発光ピーク波長範囲が４８０〜４９５ｎｍの間に介在する緑色投射光源に変換されるようになる」。
【００３８】
Ｒ領域は、「赤色発光ダイオードチップＲが、透光層を直接的に透過し、発光波長範囲が６２０〜６３０ｎｍの間に介在する赤色投射光源を発生させる」。
【００３９】
Ｇ領域は、「緑色発光ダイオードチップＧが、透光層を直接的に透過し、発光波長範囲が５２０〜５４０ｎｍの間に介在する緑色投射光源を発生させる」。
【００４０】
Ｙ領域は、「黄色発光ダイオードチップＹが、透光層を直接的に透過し、発光波長範囲が５８５〜５９５ｎｍの間に介在する黄色投射光源を発生させる」。
【００４１】
Ａ領域は、「琥珀色発光ダイオードチップＡが、透光層を直接的に透過し、発光波長範囲が６００〜６１０ｎｍの間に介在する琥珀色投射光源を発生させる」。
【００４２】
第２実施例の発光ダイオードチップの構成を言えば、該青色発光ダイオードチップセットは、８つの青色の発光ダイオードチップＢからなり、該赤色発光ダイオードチップセットは、２つの赤色の発光ダイオードチップＲ、該緑色発光ダイオードチップセットは、４つの緑色の発光ダイオードチップＧからなり、該黄色発光ダイオードチップセットは、１つの黄色の発光ダイオードチップＹ、及び該琥珀色発光ダイオードチップセットは、１つの琥珀色の発光ダイオードチップＡからなる。
【００４３】
第２実施例の発光ダイオードチップの配列を言えば、該一行目の発光チップ列２１は、２つの青色の発光ダイオードチップＢ、１つの緑色の発光ダイオードチップＧ、及び１つの琥珀色発光ダイオードチップＡからなり、該二行目の発光チップ列２２は、２つの青色の発光ダイオードチップＢ、１つの緑色の発光ダイオードチップＧ、及び１つの赤色発光ダイオードチップＲからなり、該三行目の発光チップ列２３は、２つの青色の発光ダイオードチップＢ、１つの緑色の発光ダイオードチップＧ、及び１つの黄色発光ダイオードチップＹからなり、該四行目の発光チップ列２４は、２つの青色の発光ダイオードチップＢ、１つの緑色の発光ダイオードチップＧ、及び１つの赤色発光ダイオードチップＲからなる。
【００４４】
そのため、これらの青色発光ダイオードチップＢの一部が投射した光源は、これらの第１の波長変換層（オレンジ色及び緑色で混合した蛍光粉とパッケージコロイドとの混合Ｐ（ＯＧ））の吸収によって色温範囲（ｃｏｌｏｒ  ｔｅｍｐｅｒａｔｕｒｅ）が２８００〜１００００Ｋの間に介在する白色投射光源に変換され、これらの青色発光ダイオードチップＢの残り部分が投射した光源は、これらの第２の波長変換層（緑色蛍光粉とパッケージコロイドとの混合Ｐ（Ｇ））の吸収によって発光ピーク波長範囲が４８０〜４９５ｎｍの間に介在する緑色投射光源に変換される。
【００４５】
かつ、前記第１の波長変換層及びこれらの第２の波長変換層を介してそれぞれ発生した白色投射光源および緑色投射光源、該赤色発光ダイオードチップＲが発生する赤色投射光源、該緑色発光ダイオードチップＧが発生する緑色投射光源、該黄色発光ダイオードチップＹが発生する黄色投射光源、及び該琥珀色発光ダイオードチップＡが発生する琥珀色投射光源は、それぞれ光合成され、本発明の第２実施例に係るアレイ型発光モジュールは、演色性（ＣＲＩ）が９６で、色温が４０００〜６０００Ｋの高演色性の白色光源を合成できるようになる（図６Ｂに示すように）。
【００４６】
図７Ａ及び図７Ｂは、それぞれ、本発明に係る高演色性（ｃｏｌｏｒ  ｒｅｎｄｅｒｉｎｇ  ｉｎｄｅｘ）のあるアレイ型発光装置（ａｒｒａｙ  ｔｙｐｅ  ｌｉｇｈｔ−ｅｍｉｔｔｉｎｇ  ｄｅｖｉｃｅ）の第３実施例の発光チップのレイアウトを示す図及びスペクトル図である。図７Ａの第３実施例についての説明は以下である。
【００４７】
Ｂ＋Ｐ（ＯＧ）領域は、「青色発光ダイオードチップＢ毎が、オレンジ色及び緑色で混合した蛍光粉とパッケージコロイドとの混合Ｐ（ＯＧ）に組み合わせて、該青色発光ダイオードチップＢ毎が発する可視光の一部は、色温範囲（ｃｏｌｏｒ  ｔｅｍｐｅｒａｔｕｒｅ）が２８００〜１００００Ｋの間に介在する白色投射光源に変換されるようになる」。
【００４８】
Ｒ領域は、「赤色発光ダイオードチップＲが、透光層を直接的に透過し、発光波長範囲が６２０〜６３０ｎｍの間に介在する赤色投射光源を発生させる」。
【００４９】
Ｇ領域は、「緑色発光ダイオードチップＧが、透光層を直接的に透過し、発光波長範囲が５２０〜５４０ｎｍの間に介在する緑色投射光源を発生させる」。
【００５０】
Ｙ領域は、「黄色発光ダイオードチップＹが、透光層を直接的に透過し、発光波長範囲が５８５〜５９５ｎｍの間に介在する黄色投射光源を発生させる」。
【００５１】
Ａ領域は、「琥珀色発光ダイオードチップＡが、透光層を直接的に透過し、発光波長範囲が６００〜６１０ｎｍの間に介在する琥珀色投射光源を発生させる」。
【００５２】
第３実施例の発光ダイオードチップの構成を言えば、該青色発光ダイオードチップセットは、８つの青色の発光ダイオードチップＢからなり、該赤色発光ダイオードチップセットは、１つの赤色の発光ダイオードチップＲ、該緑色発光ダイオードチップセットは、４つの緑色の発光ダイオードチップＧからなり、該黄色発光ダイオードチップセットは、１つの黄色の発光ダイオードチップＹ、及び該琥珀色発光ダイオードチップセットは、２つの琥珀色の発光ダイオードチップＡからなる。
【００５３】
第３実施例の発光ダイオードチップの配列を言えば、該一行目の発光チップ列２１は、２つの青色の発光ダイオードチップＢ、１つの緑色の発光ダイオードチップＧ、及び１つの琥珀色発光ダイオードチップＡからなり、該二行目の発光チップ列２２は、２つの青色の発光ダイオードチップＢ、１つの緑色の発光ダイオードチップＧ、及び１つの赤色発光ダイオードチップＲからなり、該三行目の発光チップ列２３は、２つの青色の発光ダイオードチップＢ、１つの緑色の発光ダイオードチップＧ、及び１つの黄色発光ダイオードチップＹからなり、該四行目の発光チップ列２４は、２つの青色の発光ダイオードチップＢ、１つの緑色の発光ダイオードチップＧ、及び１つの琥珀色発光ダイオードチップＡからなる。
【００５４】
そのため、該青色発光ダイオードチップＢが発する可視光の一部は、それぞれ、これらの波長変換層（オレンジ色及び緑色で混合した蛍光粉とパッケージコロイドとの混合Ｐ（ＯＧ））の吸収によって色温範囲（ｃｏｌｏｒ  ｔｅｍｐｅｒａｔｕｒｅ）が２８００〜１００００Ｋの間に介在する白色投射光源に変換される。
【００５５】
かつ、該色温範囲が２８００〜１００００Ｋの間に介在する白色投射光源、該赤色発光ダイオードチップＲが発生する赤色投射光源、該緑色発光ダイオードチップＧが発生する緑色投射光源、該黄色発光ダイオードチップＹが発生する黄色投射光源、及び該琥珀色発光ダイオードチップＡが発生する琥珀色投射光源は、それぞれ光合成され、本発明の第３実施例に係るアレイ型発光モジュールは、演色性（ＣＲＩ）が９５．５で、色温が６０００〜９０００Ｋの高演色性の白色光源を合成できるようになる（図７Ｂに示すように）。
【００５６】
以上のように、本発明の特徴は、前記アレイ型発光モジュール２が、該青色発光チップセット２Ｂ、該赤色発光チップセット２Ｒ、該緑色発光チップセット２Ｇ、該黄色発光チップセット２Ｙ、及び外琥珀色発光チップセット２Ａからなることにある。さらに、該波長変換層セット（３または３'）は該青色発光チップセット２Ｂに覆われる。これらの透光層セット４は、それぞれ、該赤色発光チップセット２Ｒ、該緑色発光チップセット２Ｇ、該黄色発光チップセット２Ｙ、及び該琥珀色発光チップセット２Ａに覆われる。よって、該アレイ型発光モジュールは、演色性が９０〜９６の間に介在する白色光源を合成できる。
【００５７】
図８及び図９は、それぞれ、本発明に係る他一つの高演色性（ｃｏｌｏｒ  ｒｅｎｄｅｒｉｎｇ  ｉｎｄｅｘ）のあるアレイ型発光装置（ａｒｒａｙ  ｔｙｐｅ  ｌｉｇｈｔ−ｅｍｉｔｔｉｎｇ  ｄｅｖｉｃｅ）の平面図、及び本発明の図８の９−９線の断面図である。図から分かるように、本発明に係る他一つのアレイ型発光装置が、前記アレイ型発光装置との最も大きな違いは、他一つのアレイ型発光装置の基板１'が、それぞれ近接して配列される複数の収納溝１０'を有し、かつ、アレイ型発光モジュール２'のこれらの発光チップ列（２１'、２２'、２３'、２４'）のこれらの発光ダイオードチップ（２０Ｒ、２０Ｇ、２０Ｙ、２０Ａ）が、それぞれ、これらの対応の収納溝１０'内に収納される。
【００５８】
しかし、前記の説明は、単に本発明の好ましい具体的な実施例の詳細説明及び図面に過ぎず、本発明の特許請求の範囲を局限するものではなく、本発明の主張する範囲は、下記の特許請求の範囲に基づくべき、いずれの当該分野における通常の知識を有する専門家が本発明の分野の中で、適当に変更や修飾などを実施できるが、それらの実施のことが本発明の主張範囲内に納入されるべきことは言うまでもないことである。
【図面の簡単な説明】
【００５９】
【図１】図１は、本発明に係る高演色性のあるアレイ型発光装置が一種の波長変換層を使用する平面図である。
【図２】図２は、本発明の図１の２−２線の断面図である。
【図３】図３は、本発明に係る高演色性のあるアレイ型発光装置が２種の異なる波長変換層を使用する平面図である。
【図４】図４は、本発明に係る高演色性のあるアレイ型発光装置の回路図である。
【図５Ａ】図５Ａは、本発明に係る高演色性のあるアレイ型発光装置の第１実施例の発光チップのレイアウトを示す図である。
【図５Ｂ】図５Ｂは、本発明に係る高演色性のあるアレイ型発光装置の第１実施例のスペクトル図である。
【図６Ａ】図６Ａは、本発明に係る高演色性のあるアレイ型発光装置の第２実施例の発光チップのレイアウトを示す図である。
【図６Ｂ】図６Ｂは、本発明に係る高演色性のあるアレイ型発光装置の第２実施例のスペクトル図である。
【図７Ａ】図７Ａは、本発明に係る高演色性のあるアレイ型発光装置の第３実施例の発光チップのレイアウトを示す図である。
【図７Ｂ】図７Ｂは、本発明に係る高演色性のあるアレイ型発光装置の第３実施例のスペクトル図である。
【図８】図８は、本発明に係る他一つの高演色性のあるアレイ型発光装置の平面図である。
【図９】図９は、本発明の図８の９−９線の断面図である。
【符号の説明】
【００６０】
１、１'  基板
２        アレイ型発光モジュール
２Ｂ      青色発光チップセット
２０Ｂ    青色発光ダイオードチップ
２Ｒ      赤色発光チップセット
２０Ｒ    赤色発光ダイオードチップ
２Ｇ      緑色発光チップセット
２０Ｇ    緑色発光ダイオードチップ
２Ｙ      黄色発光チップセット
２０Ｙ    黄色発光ダイオードチップ
２Ａ      琥珀色発光チップセット
２０Ａ    琥珀色発光ダイオードチップ
２１      一行目の発光チップ列
２２      二行目の発光チップ列
２３      三行目の発光チップ列
２４      四行目の発光チップ列
２'      アレイ型発光モジュール
２１'    一行目の発光チップ列
２２'    二行目の発光チップ列
２３'    三行目の発光チップ列
２４'    四行目の発光チップ列
３        波長変換層セット
３０      波長変換層
３'      波長変換層セット
３１'    第１の波長変換層
３２'    第２の波長変換層
４        透光層セット
４０      透光層
Ｐ（ＯＧ）  オレンジ色及び緑色で混合した蛍光粉とパッケージコロイドとの混合
Ｐ（Ｇ）    緑色蛍光粉とパッケージコロイドとの混合
Ｂ          青色発光ダイオードチップ
Ｒ          赤色発光ダイオードチップ
Ｇ          緑色発光ダイオードチップ
Ｙ          黄色発光ダイオードチップ
Ａ          琥珀色発光ダイオードチップ
【図１】
2009060068.tif 000003
【図２】
2009060068.tif 000004
【図３】
2009060068.tif 000005
【図４】
2009060068.tif 000006
【図５Ａ】
2009060068.tif 000007
【図５Ｂ】
2009060068.tif 000008
【図６Ａ】
2009060068.tif 000009
【図６Ｂ】
2009060068.tif 000010
【図７Ａ】
2009060068.tif 000011
【図７Ｂ】
2009060068.tif 000012
【図８】
2009060068.tif 000013
【図９】
2009060068.tif 000014